(57)【要約】【課題】多数規格の液晶ディスプレイに求められる逆光需要に応じる双蛍光灯の逆光源モジュールを提供する。【解決手段】蛍光灯１０、２０を備える。蛍光灯１０、２０は、Ｓ字形に曲げられ、直線形管部１２、２２及び連接部１４、２４を有す。連接部１４、２４は、直線形管部１２、２２の一端に連接している。蛍光灯１０、２０はフレーム３０上に並列し固定され、直線形管部１２、２２が並行に並列させ、且つ二つの直線形管部１２、２２の間隔距離がほぼ同じである。【選択図】　　　図４
0003099368.tif 000002
【実用新案登録請求の範囲】
【請求項１】
二つの蛍光灯を備え、各蛍光灯はＳ字形に曲げられ、三つの直線形管部及び二つの連接部を有し、そのうち該二つの連接部がそれぞれ隣り合う二つの直線形管部の一端に連接し、該二つの蛍光灯はフレーム上に並列し固定され、該二つの蛍光灯の直線形管部を平行に並列され、且つ隣り合う二つの直線形管部の間の間隔距離がほぼ同じになっていることを特徴とする双蛍光灯の逆光源モジュール。
【請求項２】
各蛍光灯の長さは約７８０ｍｍから１２００ｍｍ、直線形管部の長さは２３０ｍｍから３９０ｍｍ、隣り合う二つの直線形管部の間の間隔距離は２５ｍｍから４５ｍｍとなり、発光ユニットは１２インチないし１７インチの液晶ディスプレイに適用可能であることを特徴とする請求項１に記載の双蛍光灯の逆光源モジュール。
【請求項３】
各蛍光灯の良好な長さは約９１０ｍｍから１０８０ｍｍ、直線形管部の良好な長さは２７０ｍｍから３５０ｍｍ、隣り合う二つの直線形管部の間の間隔距離は２８ｍｍから４２ｍｍとなり、発光ユニットは１４インチ或は１５インチの液晶ディスプレイに適用可能であることを特徴とする請求項１に記載の双蛍光灯の逆光源モジュール。
【請求項４】
二つの蛍光灯の湾曲方向は同じであることを特徴とする請求項１に記載の双蛍光灯の逆光源モジュール。
【請求項５】
二つの蛍光灯の湾曲方向は逆であることを特徴とする請求項１に記載の双蛍光灯の逆光源モジュール。
【請求項６】
二つの蛍光灯は同位相、逆電圧により駆動されることを特徴とする請求項１に記載の双蛍光灯の逆光源モジュール。
【考案の詳細な説明】
【０００１】
【考案の属する技術分野】
本考案は液晶ディスプレイに関するものであり、特に双蛍光灯の逆光源モジュールの改良を指す。
【０００２】
【従来の技術】
液晶ディスプレイはコンピューター、情報設備及びその他の各種の表示装置に大量に応用されている。一般の液晶ディスプレイは主に液晶パネル及び逆光モジュールから組成されるものであり、そのうちの液晶パネル自体は発光せず、パネルの光源は光モジュールにより提供される。
【０００３】
従来の逆光モジュールは直下式及び側辺装着式の二種に分けられ、そのうちの直下式の逆光モジュールの蛍光灯は拡散プレートの下方に装着され、側辺装着式の逆光モジュールの蛍光灯は光誘導板の一側辺或は数側辺に装着される。
【０００４】
図３に示すように、よく見かけられている直下式逆光モジュール５０の蛍光灯の配置方式は、アメリカ合衆国特許ＮＯ．５５０４５４５により掲示された通り、若干の平行に並列する蛍光灯５２を有する。図４に示すように、他のもう一つの直下式逆光モジュール６０の蛍光灯の配置方式は、アメリカ合衆国特許ＮＯ．４７４８５４６により掲示された通り、若干の平行に並列するＵ形蛍光灯６２を有し、毎Ｕ形蛍光灯６２が二つの直線形管部及び連接部６６を有する。図５に示すように、第三種の直下式逆光モジュール７０の蛍光灯の配置方式は、連続湾曲する蛍光灯７２を有し、該蛍光灯７４が若干の直線形管部７４及び直線形管部の一端と連接する連接部７６を有する。
【０００５】
１４インチ或は１５インチの液晶ディスプレイを例とし、画面の平均輝度は少なくとも３５０Ｃｄ／ｍ２前後に求められている。図３による直線形管５２なら少なくとも６本、図４によるＵ形蛍光灯６２なら少なくとも４本配置する必要があり、又図５による連続湾曲する蛍光灯７２なら僅か一本でよいが、その直線形管部７４は少なくとも６つに求められる。
【０００６】
どのような蛍光灯の配置方式にもかかわらず、蛍光灯の数量は偶数（単一蛍光灯を除く）となれば一番好ましく、蛍光灯の間に電磁波妨害が発生することを避ける。
原則として蛍光灯ごとに変圧器を一つ配置する必要があり、且つ電子回路出力バス（図中未表示）は一つしかないため、直線形蛍光灯なら六つの変圧器、Ｕ形蛍光灯なら四つの変圧器が必要であり、そして連続湾曲する蛍光灯なら変圧器が僅か一つでよい。変圧器は電子回路出力バスを二つ有するとしたら、直線形蛍光灯なら三つの変圧器、Ｕ形蛍光灯なら二つの変圧器が必要であり、そして連続湾曲する蛍光灯なら変圧器が僅か一つでよい。
変圧器の数量は逆光モジュールのコストに関係がある。
【０００７】
連続湾曲する蛍光灯に必要な変圧器はただ一つだけであるが、その蛍光灯の長さは比較的長いのに対し、変圧器により提供される起動電圧は大きくなる。従って、特殊規格の変圧器を使用することはよくある。そのような状態では、変圧器の数量は少ないが、特殊規格の変圧器を使用するにはコストを低減せず増加させる。
【０００８】
【考案が解決しようとする課題】
現在、業界では逆光モジュールを改良するには、蛍光灯の配置の数量及び単一蛍光灯の長さが二重の難問である。
従って、本考案の主な目的は、蛍光灯の配置という問題を配置空間及び電源消耗という二つのテーマを介して有効に解決することにより、多数規格の液晶ディスプレイに求められる逆光需要に応じる双蛍光灯の逆光源モジュールを提供することにある。
【０００９】
【課題を解決するための手段】
上述の目的を達成するために、本考案による双蛍光灯の逆光源モジュールは、二つの直線形蛍光灯を備え、各蛍光灯はＳ字形に曲げられ、三つの直線形管部及び二つの連接部を有し、そのうち該二つの連接部がそれぞれ相隣る二つの直線形管部の一端に連接し、該二つの蛍光灯はフレーム上に並列し固定されることで、該二つの蛍光灯の直線形管部を平行に並列させ、且つ相隣る二つの直線形管部の間の間隔距離がほぼ同じようになる。
【００１０】
【考案の実施の形態】
以下、本考案の実施例を図面に基づいて説明する。
図４に示すように、本考案の第一実施例による双蛍光灯の逆光源モジュール１が備える二つの蛍光灯１０、２０は、一般の冷陰極蛍光灯（Ｃｏｌｄ　Ｃａｔｈｏｄｅ　Ｆｌｕｏｒｅｓｃｅｎｔ　Ｌａｍｐｓ，ＣＣＦＬｓ）となり、ランプの直径が細く、使用寿命が長く、光効果が高いという利点がある。
【００１１】
各蛍光灯１０、２０はＳ字形に曲げられ、三つの直線形管部１２、２２及び二つの連接部１４、２４を有し、そのうちの直線形管部１２、２２が平行に並列し、且つ該二つの連接部１４、２４がそれぞれ相隣る二つの直線形管部１２、２２の一端に連接する。該二つの蛍光灯１０、２０の両端には電源制御装置（図中未表示）に接続し、光源を発生させる電極１６、２６を有する。
【００１２】
該二つの蛍光灯１０、２０はフレーム３０中に並列し固定され、該二つの蛍光灯１０、２０の直線形管部１２、２２を平行に並列させ、且つ相隣る二つの直線形管部１２、２２の間の間隔距離Ｐがほぼ同じようになる。
１５インチの液晶ディスプレイを例とし、本実施例による双蛍光灯の逆光源モジュールにおける各蛍光灯１０、２０は直径が４ｍｍ、長さの合計が約１００６ｍｍ、各直線形管部１２、２２の長さＬが約３０５ｍｍ、相隣る直線形管部１２、２２の間の間隔距離Ｐが３３．５ｍｍである。蛍光灯１０、２０は同位相、逆電圧により駆動することで電磁波妨害を低減させる。このような配置方式により、本考案の第一実施例による双蛍光灯の逆光源モジュールにおける中心輝度は約２０００Ｃｄ／ｍ２から８５００Ｃｄ／ｍ２であり、液晶ディスプレイの平均輝度は２００Ｃｄ／ｍ２から５５０Ｃｄ／ｍ２に達す。
【００１３】
本実施例による双蛍光灯の逆光源モジュールにおける配置方式に必要な変圧器（図中未表示）は数量が二つであるが、このような長さの蛍光灯に必要な駆動電圧は現有の電子部品、例えば変圧器の負荷可能な範囲内である。従って、一般規格の変圧器は全て本実施例による双蛍光灯の逆光源モジュールに適用することが可能である。
【００１４】
実務上、本実施例による双蛍光灯の逆光源モジュールは１２インチないし１７インチの液晶ディスプレイに適用することが可能であり、各蛍光灯１０、２０は長さの合計が７８０ｍｍから１２００ｍｍ、直線形管部１２、２２は長さＬが２３０ｍｍから３９０ｍｍでも可能であり、又、相隣る二つの直線形管部１２、２２の間の間隔距離Ｐは２５ｍｍから４５ｍｍでも可能である。このような配置方式により、発光ユニットの平均輝度は約２０００Ｃｄ／ｍ２から８５００Ｃｄ／ｍ２であり、液晶ディスプレイの平均輝度は２００Ｃｄ／ｍ２から５５０Ｃｄ／ｍ２に達す。
【００１５】
本実施例による双蛍光灯の逆光源モジュールは、１４インチ或は１５インチのディスプレイに適用するのが最も良好であり、各蛍光灯１０、２０は長さが９１０ｍｍから１０８０ｍｍ、直線形管部１２、２２は長さＬが２７０ｍｍから３５０ｍｍでも可能であり、又、相隣る二つの直線形管部１２、２２の間の間隔距離Ｐは２８ｍｍから４２ｍｍでも可能である。該発光ユニットの平均輝度は約２０００Ｃｄ／ｍ２から８５００Ｃｄ／ｍ２であり、液晶ディスプレイの平均輝度は２００Ｃｄ／ｍ２から５５０Ｃｄ／ｍ２に達す。
【００１６】
本実施例の利点は次の通りである。
蛍光灯１０、２０に必要な変圧器の数量はただ二つ（或は一つ）だけであるため、空間を有効に節約することが可能であり、且つ蛍光灯１０、２０の駆動電圧は一般の直線形蛍光灯或はＵ形蛍光灯に近いため、一般規格の変圧器を応用することが可能である。
二つのＳ字形蛍光灯１０、２０はコストをもっとも節約した上で、１２インチないし１７インチの液晶ディスプレイ（特に１４インチと１５インチの液晶ディスプレイ）に必要な輝度を提供することが可能であり、且つ該二つの蛍光灯１０、２０は対称を呈するため、蛍光灯の間に電磁波妨害が発生しない。
本実施例における発光ユニットはその構造が簡単であるため、フレーム３０上に固定しやすい。
【００１７】
図５に示すように、本考案の第二実施例による双蛍光灯の逆光源モジュール２は、その構造が第一実施例により掲示されるものと大体同じであり、二つのＳ字形蛍光灯４２、４６を備え、毎蛍光灯４２、４６が三つの直線形管部４３、４７及び二つの連接部４４、４８を有する。第二実施例では、該二つの蛍光灯４２、４６の湾曲方向は同じであり、第一実施例では蛍光灯１０、２０の湾曲方向は逆である。
【図面の簡単な説明】
【図１】第一種の従来の逆光モジュールを示す平面図である。
【図２】第二種の従来の逆光モジュールを示す平面図である。
【図３】第三種の従来の逆光モジュールを示す平面図である。
【図４】本考案の第一実施例による双蛍光灯の逆光源モジュールを示す平面図である。
【図５】本考案の第二実施例による双蛍光灯の逆光源モジュールを示す平面図である。
【符号の説明】
１　　逆光源モジュール
１０　　蛍光灯
２０　　蛍光灯
１２　　直線形管部
２２　　直線形管部
１４　　連接部
２４　　連接部
１６　　電極
２６　　電極
３０　　フレーム
Ｌ　　直線形管部の長さ
Ｐ　　直線形管部の間隔距離
２　　逆光源モジュール
４２　　蛍光灯
４４　　蛍光灯
５０　　逆光モジュール
５２　　直線形蛍光灯
６０　　逆光モジュール
６２　　蛍光灯
６４　　直線形管部
６８　　連接部
７０　　逆光モジュール
７２　　蛍光灯
７４　　直線形管部
７８　　連接部
【図１】
0003099368.tif 000003
【図２】
0003099368.tif 000004
【図３】
0003099368.tif 000005
【図４】
0003099368.tif 000006
【図５】
0003099368.tif 000007